(57)【要約】【課題】複数の現像剤担持体にそれぞれ対応して設けられる内側筐体および外側筐体を、一体的に取り扱うことができる現像剤カートリッジを提供すること。【解決手段】  イエロー、マゼンタおよびシアンの現像ローラ３１にそれぞれ対応して設けられるトナー供給部材８２、および、各トナー供給部材８２をすべて収容する１つのフレーム８１を備え、各トナー供給部材８２に、トナーが通過する内側戻り口９４および内側送り口９５をそれぞれ形成し、フレーム８１を、現像ローラ３１に対してトナーを供給可能なように、内側送り口９５を露出する開位置と、現像ローラ３１に対してトナーを供給不能なように、内側送り口９５を被覆する閉位置とに移動させる。【選択図】図４
2010266754.tif 000002
【特許請求の範囲】
【請求項１】
複数の現像剤担持体に現像剤を供給する現像剤カートリッジであって、
前記現像剤カートリッジは、
各前記現像剤担持体にそれぞれ対応して設けられる内側筐体、および、
各前記内側筐体の少なくとも一部をそれぞれ被覆する外側筐体を備え、
各前記内側筐体には、それぞれ、現像剤が通過する開口部が形成されており、
各前記外側筐体は、互いに一体的に形成され、
前記現像剤担持体に対して現像剤を供給可能なように、前記開口部を露出する開位置と、
前記現像剤担持体に対して現像剤を供給不能なように、前記開口部を被覆する閉位置とに移動することを特徴とする、現像剤カートリッジ。
【請求項２】
各前記内側筐体は、互いに一体的に形成され、
前記外側筐体は、前記内側筐体に対して相対的に回動することにより、前記開位置または前記閉位置に移動することを特徴とする、請求項１に記載の現像剤カートリッジ。
【請求項３】
各前記内側筐体内には、それぞれ、前記現像剤を撹拌する撹拌部材と、
各前記内側筐体を貫通し、各前記撹拌部材を支持する回転軸とを備え、
各前記外側筐体は、前記回転軸を支点として回動することを特徴とする、請求項１または２に記載の現像剤カートリッジ。
【請求項４】
各前記外側筐体は、それぞれ、
前記現像剤を収容する現像剤収容部と、
前記内側筐体を収容する内側筐体収容部とを備え、
前記開口部は、前記内側筐体収容部によって、露出または被覆されることを特徴とする、請求項１ないし３のいずれかに記載の現像剤カートリッジ。
【請求項５】
前記開口部は、
前記現像剤担持体に対して前記現像剤を供給する供給口と、
前記現像剤担持体から前記現像剤を回収する回収口とを備えることを特徴とする、請求項１ないし４のいずれかに記載の現像剤カートリッジ。
【発明の詳細な説明】
【技術分野】
【０００１】
本発明は、電子写真方式のカラープリンタなどの画像形成装置に備えられる現像剤カートリッジに関する。
【背景技術】
【０００２】
電子写真方式のカラープリンタとして、イエロー、マゼンタ、シアン、ブラックの４色のトナーに対応して、４つの感光ドラムを備えるタンデム型カラーレーザプリンタが知られている。
このようなタンデム型カラーレーザプリンタとして、例えば、各色に対応して設けられ、それぞれ感光ドラムを備える４つのプロセスユニットと、各プロセスユニットに対応して設けられ、対応するプロセスユニットにトナーを供給する４つのトナーカートリッジとを備えるカラーレーザプリンタが知られている（たとえば、特許文献１参照。）。
【先行技術文献】
【特許文献】
【０００３】
【特許文献１】特開２００８−２１６４５１号公報
【発明の概要】
【発明が解決しようとする課題】
【０００４】
しかるに、上記した特許文献１に記載のカラーレーザプリンタでは、各色のトナーカートリッジを別々に備えている。
また、通常、カラーレーザプリンタには、モノクロモードとカラーモードとの２つの印刷モードが設定されている。
カラー（イエロー、マゼンタ、シアン）のトナーは、カラーモードのときのみ消費される一方、ブラックのトナーは、モノクロモードとカラーモードとの両方で消費される。
【０００５】
そのため、ブラックのトナーの方が、カラーのトナーよりも消費されやすい傾向にある。
その結果、ユーザーは、比較的交換頻度の少ないカラーのトナーカートリッジを、複数、管理することになり、トナーカートリッジの交換作業が煩雑になるという不具合がある。
【０００６】
そこで、本発明の目的は、複数の現像剤担持体にそれぞれ対応して設けられる内側筐体および外側筐体を、一体的に取り扱うことができる現像剤カートリッジを提供することにある。
【課題を解決するための手段】
【０００７】
上記した課題を解決するため、請求項１に記載の発明は、複数の現像剤担持体に現像剤を供給する現像剤カートリッジであって、前記現像剤カートリッジは、各前記現像剤担持体にそれぞれ対応して設けられる内側筐体、および、各前記内側筐体の少なくとも一部をそれぞれ被覆する外側筐体を備え、各前記内側筐体には、それぞれ、現像剤が通過する開口部が形成されており、各前記外側筐体は、互いに一体的に形成され、前記現像剤担持体に対して現像剤を供給可能なように、前記開口部を露出する開位置と、前記現像剤担持体に対して現像剤を供給不能なように、前記開口部を被覆する閉位置とに移動することを特徴としている。
【０００８】
また、請求項２に記載の発明は、請求項１に記載の発明において、各前記内側筐体は、互いに一体的に形成され、前記外側筐体は、前記内側筐体に対して相対的に回動することにより、前記開位置または前記閉位置に移動することを特徴としている。
また、請求項３に記載の発明は、請求項１または２に記載の発明において、各前記内側筐体内には、それぞれ、前記現像剤を撹拌する撹拌部材と、各前記内側筐体を貫通し、各前記撹拌部材を支持する回転軸とを備え、各前記外側筐体は、前記回転軸を支点として回動することを特徴としている。
【０００９】
また、請求項４に記載の発明は、請求項１ないし３のいずれかに記載の発明において、各前記外側筐体は、それぞれ、前記現像剤を収容する現像剤収容部と、前記内側筐体を収容する内側筐体収容部とを備え、前記開口部は、前記内側筐体収容部によって、露出または被覆されることを特徴としている。
また、請求項５に記載の発明は、請求項１ないし４のいずれかに記載の発明において、前記開口部は、前記現像剤担持体に対して前記現像剤を供給する供給口と、前記現像剤担持体から前記現像剤を回収する回収口とを備えることを特徴としている。
【発明の効果】
【００１０】
請求項１に記載の発明によれば、現像剤カートリッジは、各現像剤担持体にそれぞれ対応して設けられる内側筐体、および、互いに一体的に形成され、各内側筐体の少なくとも一部をそれぞれ被覆する外側筐体を備えている。
そのため、各現像剤担持体にそれぞれ対応して設けられる内側筐体、および、各内側筐体の少なくとも一部をそれぞれ被覆する外側筐体を、一体的に、取り扱うことができる。
【００１１】
また、各内側筐体には、それぞれ、現像剤が通過する開口部が形成されており、各外側筐体は、現像剤担持体に対して現像剤を供給可能なように、開口部を露出する開位置と、現像剤担持体に対して現像剤を供給不能なように、開口部を被覆する閉位置とに移動する。
そのため、現像剤カートリッジが装置本体に対して装着された状態において、現像剤担持体に対する現像剤の供給を、一体的に制御することができる。
【００１２】
その結果、複数の現像剤担持体にそれぞれ対応して設けられる内側筐体および外側筐体を、一体的に取り扱うことができる。
これにより、同一モードで使用され、互いに交換頻度が同程度の各外側筐体を、互いに一体的に形成すれば、ユーザーが一度に交換する現像剤カートリッジの数を低減させることができ、現像剤カートリッジの交換作業を簡略化することができる。
【００１３】
また、請求項２に記載の発明によれば、各内側筐体は、互いに一体的に形成され、外側筐体は、内側筐体に対して相対的に回動することにより、開位置または閉位置に移動する。
そのため、各外側筐体を、簡易な操作で画一的に、開位置または閉位置に移動させることができる。
【００１４】
また、請求項３に記載の発明によれば、各内側筐体内には、それぞれ、現像剤を撹拌する撹拌部材と、各内側筐体を貫通し、各撹拌部材を支持する回転軸とを備え、各外側筐体は、回転軸を支点として回動する。
そのため、簡易な構成により、確実に、外側筐体を内側筐体に対して相対的に回動させることができる。
【００１５】
また、請求項４に記載の発明によれば、各外側筐体は、それぞれ、現像剤を収容する現像剤収容部と、内側筐体を収容する内側筐体収容部とを備え、開口部は、内側筐体収容部によって、露出または被覆される。
そのため、別途、現像剤を収容する部材を設けることなく、簡易な構成により、外側筐体によって現像剤を収容しながら、開口部を露出または被覆することができる。
【００１６】
また、請求項５に記載の発明によれば、開口部は、現像剤担持体に対して現像剤を供給する供給口と、現像剤担持体から現像剤を回収する回収口とを備える。
そのため、現像剤担持体に対して供給される現像剤の量が、現像剤担持体において消費される現像剤の量よりも多い場合に、回収口から現像剤を回収することができる。
これにより、現像剤担持体への現像剤の供給量を精密に制御しなくても、現像剤担持体へ、必要な量の現像剤を供給することができる。
【００１７】
その結果、簡易な構成で、現像剤担持体へ、必要な量の現像剤を供給することができる。
【図面の簡単な説明】
【００１８】
【図１】本発明の画像形成装置としてのカラーレーザプリンタの一実施形態を示す側断面図である。
【図２】図１に示すカラーレーザプリンタ（ホルダフレーム：収容位置）の左側斜視図である。
【図３】図１に示すカラーレーザプリンタ（ホルダフレーム：露出位置）の左側斜視図である。
【図４】トナーカートリッジを示し、（ａ）は、ブラックトナーカートリッジの左側断面図であり、（ｂ）は、カラートナーカートリッジの左側断面図であり、（ｃ）は、カラートナーカートリッジの正面断面図である。
【図５】図２に示すカートリッジホルダの正面断面図（トナーカートリッジ：離脱状態、ホルダフレーム：収容位置）である。
【図６】図３に示すカートリッジホルダの正面断面図（トナーカートリッジ：装着状態、ホルダフレーム：露出位置）である。
【図７】図２に示すカートリッジホルダの正面断面図（トナーカートリッジ：装着状態、ホルダフレーム：収容位置）である。
【図８】図２に示すカートリッジホルダの左側断面図（トナーカートリッジ：離脱状態、ホルダフレーム：収容位置）である。
【図９】図３に示すカートリッジホルダの左側断面図（トナーカートリッジ：装着状態、ホルダフレーム：収容位置）である。
【図１０】図３に示すカートリッジホルダの左側部分斜視図（ホルダフレーム：露出位置）である。
【図１１】図２に示すカートリッジホルダの左側部分斜視図（ホルダフレーム：収容位置）である。
【発明を実施するための形態】
【００１９】
１．カラーレーザプリンタ
図１は、本発明の画像形成装置としてのカラーレーザプリンタの一実施形態を示す側断面図である。図２は、図１に示すカラーレーザプリンタ（ホルダフレーム：収容位置）の左側斜視図である。図３は、図１に示すカラーレーザプリンタ（ホルダフレーム：露出位置）の左側斜視図である。
【００２０】
カラーレーザプリンタ１は、横置型のタンデムタイプのカラーレーザプリンタであり、図１に示すように、本体ケーシング２と、その本体ケーシング２の上方に設けられ、原稿の画像情報を読み取るためのＦＢ（フラットベッド）ユニット３とを備える、複合機とされている。
また、カラーレーザプリンタ１は、本体ケーシング２内に、用紙Ｐを給紙するための給紙部４と、給紙された用紙Ｐに画像を形成するための画像形成部５とを備えている。
【００２１】
なお、以下の説明では、図１の紙面右側を正面（前）側とし、図１の紙面左側を背面（後）側とする。また、図１の紙厚方向手前側を、左側とし、図１の紙厚方向奥側を、右側とする。なお、左右方向は幅方向と同義である。
また、プロセスユニット２６（後述）およびトナーカートリッジ３８（後述）に関する方向も、これらが本体ケーシング２に装着されている状態における方向として説明する。
（１）本体ケーシング
本体ケーシング２は、側面視略矩形状のボックス形状に形成されている。本体ケーシング２の前壁には、プロセスユニット２６を着脱するためのフロントカバー７が設けられている。フロントカバー７は、その下端部が図示しないヒンジを介して本体ケーシング２に回動自在に設けられている。
【００２２】
また、本体ケーシング２の左壁には、図２および図３に示すように、カートリッジホルダ８が設けられている。
カートリッジホルダ８は、ホルダフレーム９と、そのホルダフレーム９の左側を被覆するサイドカバー１０とを備えている。
ホルダフレーム９の下端部は、本体ケーシング２に回転自在に支持されている。これによって、ホルダフレーム９は、各トナーカートリッジ３８が本体ケーシング２内に収容される収容位置（図２参照）と、各トナーカートリッジ３８が本体ケーシング２の左側から露出する露出位置（図３参照）とに、左右方向に揺動される。
（２）ＦＢユニット
ＦＢユニット３は、図１に示すように、原稿台１１と、原稿台１１に開閉自在に支持される押さえカバー１２とを備えている。
【００２３】
原稿台１１は、平面視矩形状の厚板形状に形成されている。原稿台１１の上面には、原稿が載置されるガラス面１３が埋設されている。また、原稿台１１内には、原稿を読み取るためのＣＣＤセンサ１４が設けられている。
ＣＣＤセンサ１４は、原稿読取時には、ガラス面１３と対向した状態で左右方向に沿ってスライド移動する。
【００２４】
押さえカバー１２は、平面視において矩形薄板状に形成されており、その後端部がヒンジ（図示せず）を介して原稿台１１の後端部に揺動自在に支持されている。
そして、ＦＢユニット３では、原稿が押さえカバー１２とガラス面１３との間に配置された後、ＣＣＤセンサ１４がスライドすることにより、原稿の画像情報が読み取られる。
そして、読み取られた原稿の画像情報に基づいて、画像形成部５において、後述するように、用紙Ｐに画像を形成することができる。また、カラーレーザプリンタ１は、その画像情報をカラーレーザプリンタ１に接続されたパーソナルコンピュータ（図示せず）に送信したり、公衆電話回線を通じて送信したりする機能を有している。
（３）給紙部
給紙部４は、本体ケーシング２の下部に設けられる。給紙部４は、用紙Ｐを収容する給紙トレイ１５と、給紙トレイ１５の後端部の上方に設けられる給紙ローラ１６と、給紙ローラ１６の後方において互いに対向配置される分離ローラ１７および分離パッド１８とを備えている。給紙部４は、分離パッド１８の上方において分離ローラ１７に対向配置される２つの補助ローラ１９と、最上位の補助ローラ１９と分離ローラ１７との対向部分から略上方に延びる給紙パス２０と、給紙パス２０の途中に設けられる１対の搬送ローラ２１とを備えている。
【００２５】
給紙トレイ１５内には、用紙Ｐがスタックされており、その最上位にある用紙Ｐは、給紙ローラ１６の回転によって分離ローラ１７と分離パッド１８との対向部分へ供給され、それらによって１枚ごとに捌かれる。その後、各補助ローラ１９にガイドされながら分離ローラ１７から給紙パス２０へ給紙される。その後、用紙Ｐは、搬送ローラ２１に搬送されて、転写ローラ４２（後述）と中間転写ベルト４１（後述）との間へ搬送される。
（４）画像形成部
画像形成部５は、スキャナユニット２２、プロセス部２３、転写部２４および定着部２５を備えている。
（４−１）スキャナユニット
スキャナユニット２２は、本体ケーシング２の下方において、給紙部４の上方に配置されている。スキャナユニット２２は、鎖線で示すように、４つの感光ドラム２７（後述）に向けて、画像データに基づいて、レーザー光をそれぞれ出射し、感光ドラム２７（後述）を露光する。
（４−２）プロセス部
プロセス部２３は、４つのプロセスユニット２６を備えている。
【００２６】
各プロセスユニット２６は、各色のトナーに対応してそれぞれ設けられている。
すなわち、プロセスユニット２６は、ブラックプロセスユニット２６Ｋ、イエロープロセスユニット２６Ｙ、マゼンタプロセスユニット２６Ｍおよびシアンプロセスユニット２６Ｃの４つからなる。これら４つのプロセスユニット２６は、上記した順序において、前方から後方に向かって互いに間隔を隔てて並列配置されている。
（４−２−１）プロセスユニット
各プロセスユニット２６は、感光ドラム２７、スコロトロン型帯電器２８、クリーニングローラ２９、および、現像ユニット３０を備えている。
【００２７】
感光ドラム２７は、左右方向に沿うように、前後方向に間隔を隔てて、４つ、並列配置されている。感光ドラム２７は、画像形成時において、左側面視反時計周りに回転される。
スコロトロン型帯電器２８は、感光ドラム２７の後側下方において、感光ドラム２７と間隔を隔てて対向配置されている。
【００２８】
クリーニングローラ２９は、感光ドラム２７の後側において、感光ドラム２７と接触するように対向配置されている。
現像ユニット３０は、各感光ドラム２７に対応して４つ設けられている。各現像ユニット３０には、感光ドラム２７の下方に配置され、感光ドラム２７にトナーを供給する現像室３６と、現像室３６の下方に設けられ、現像室３６からトナーカートリッジ３８へトナーを戻すトナー戻り室３７とが設けられている。
【００２９】
現像室３６内には、現像剤担持体の一例としての現像ローラ３１、層厚規制ブレード３２、供給ローラ３３および送りオーガ３４が設けられている。
現像ローラ３１は、感光ドラム２７の下方において、感光ドラム２７に下方から接触するように対向配置されている。
層厚規制ブレード３２は、現像ローラ３１の下方に配置され、現像ローラ３１の表面に対して下方から圧接されている。
【００３０】
供給ローラ３３は、現像ローラ３１の斜め下側前方に配置され、現像ローラ３１に対して互いに圧縮されるように、下方から接触されている。
送りオーガ３４は、現像ローラ３１および供給ローラ３３から間隔を隔てて、現像ローラ３１の下方および供給ローラ３３の斜め下側後方に配置されている。
また、送りオーガ３４は、左ねじ状のスクリューであり、画像形成時には、左側面視時計回りの方向に回転される。これにより、送りオーガ３４は、トナーを左側から右側へ搬送する。
【００３１】
トナー戻り室３７内には、戻りオーガ３５が設けられている。
戻りオーガ３５は、左ねじ状のスクリューであり、画像形成時には、左側面視反時計回りの方向に回転される。これにより、戻りオーガ３５は、トナーを右側から左側へ搬送する。
なお、図示しないが、現像室３６とトナー戻り室３７とは、プロセスユニット２６の右端部に形成される連通口（図示せず）によって、連通されている。
（４−２−２）トナーカートリッジ
また、プロセス部２３の左端部には、トナーカートリッジ３８が着脱自在に装着される。
【００３２】
トナーカートリッジ３８は、後で詳述するが、ブラックのプロセスユニット２６に対応するブラックトナーカートリッジ３８ａ（図４（ａ）参照）と、イエロー、シアン、およびマゼンタのプロセスユニット２６に対応する現像剤カートリッジの一例としてのカラートナーカートリッジ３８ｂ（図４（ｂ）参照）との２つからなる。各トナーカートリッジ３８は、ホルダフレーム９内に着脱自在に収容される。
【００３３】
トナーカートリッジ３８には、現像剤として、各色に対応する非磁性１成分の正帯電性のトナーが収容されている。
（４−２−３）プロセスユニットでの現像動作
トナーカートリッジ３８内に収容されているトナーは、送りオーガ３４へ供給される。送りオーガ３４へ供給されたトナーは、送りオーガ３４の回転により、現像室３６内を左方から右方へ搬送される。トナーは、搬送されながら供給ローラ３３へ供給され、供給ローラ３３へ供給されなかったトナーは、連通口（図示せず）を介して戻りオーガ３５へ戻される。
【００３４】
戻りオーガ３５へ戻されたトナーは、戻りオーガ３５の回転により、トナー戻り室３７内を右方から左方へ搬送される。その後、トナーは、トナーカートリッジ３８内へ戻される。これによって、トナーカートリッジ３８と、対応するプロセスユニット２６との間において、トナーが循環される。
供給ローラ３３に供給されたトナーは、供給ローラ３３の回転により現像ローラ３１に供給される。このとき、トナーは、供給ローラ３３と現像ローラ３１との間で正に摩擦帯電される。その後、トナーは、現像ローラ３１の回転に伴って、層厚規制ブレード３２と現像ローラ３１との間に進入して、一定厚さの薄層に形成される。それによって、トナーは、現像ローラ３１の表面に薄層状に担持される。
【００３５】
一方、感光ドラム２７の表面は、スコロトロン型帯電器２８によって、一様に正帯電される。正帯電された表面は、その後、感光ドラム２７の回転に伴って、スキャナユニット２２からのレーザー光により露光される。それによって、感光ドラム２７の表面には、用紙Ｐに形成すべき画像に対応した静電潜像が形成される。
さらに感光ドラム２７が回転すると、現像ローラ３１の表面に担持されているトナーが、現像ローラ３１の回転により、感光ドラム２７に対向して接触するときに、感光ドラム２７の表面に形成されている静電潜像に供給される。これにより、感光ドラム２７の静電潜像は現像され、感光ドラム２７の表面には、各色に対応するトナー像が担持される。
（４−３）転写部
転写部２４は、プロセス部２３の上方において、前後方向に沿って配置されている。転写部２４は、駆動ローラ３９、従動ローラ４０、中間転写ベルト４１、転写ローラ４２、中継パス４３およびクリーニングユニット４４を備えている。
【００３６】
駆動ローラ３９は、シアンプロセスユニット２６Ｃの感光ドラム２７よりも斜め後側上方に配置されている。駆動ローラ３９は、画像形成時において、感光ドラム２７の回転方向と逆方向（左側面視時計回り）に回転駆動される。
従動ローラ４０は、ブラックプロセスユニット２６Ｋの感光ドラム２７よりも斜め前側上方であって、駆動ローラ３９と前後方向において重なるように配置されている。従動ローラ４０は、駆動ローラ３９が回転駆動すると、駆動ローラ３９の回転方向と同方向（左側面視時計回り）に従動回転する。
【００３７】
中間転写ベルト４１は、エンドレスベルト形状に形成されている。中間転写ベルト４１は、駆動ローラ３９と従動ローラ４０との間に巻回されている。中間転写ベルト４１は、その外側面が、すべての感光ドラム２７に上方から接触するように、配置されている。
そして、駆動ローラ３９の駆動によって従動ローラ４０が従動され、中間転写ベルト４１は、駆動ローラ３９と従動ローラ４０との間を、左側面視時計回りに周回移動する。
【００３８】
転写ローラ４２は、駆動ローラ３９と転写ローラ４２との間で中間転写ベルト４１を挟むように、駆動ローラ３９の後方に配置されている。
中継パス４３は、２次転写位置から定着部２５に向かって略上方に延びるように形成されている。
中間転写ベルト４１は、前側から後側に向かって、各感光ドラム２７との接触位置を、順次、通過する。各感光ドラム２７に担持されている各色に対応したトナー像は、中間転写ベルト４１が通過している間に、中間転写ベルト４１に１次転写される。それによって、中間転写ベルト４１にカラー画像が形成される。
【００３９】
中間転写ベルト４１に形成されたカラー画像は、中間転写ベルト４１が転写ローラ４２との接触位置を通過する間に、給紙部４から搬送される用紙Ｐに、２次転写される。カラー画像が転写された用紙Ｐは、中継パス４３に沿って定着部２５へ搬送される。
なお、クリーニングユニット４４は、中間転写ベルト４１の上方に配置され、中間転写ベルト４１の表面に付着したトナーを、除去し、貯留する。
（４−４）定着部
定着部２５は、転写ローラ４２の上方に配置され、加熱ローラ４５と、加熱ローラ４５に対向する加圧ローラ４６とを備えている。用紙Ｐに転写されたカラー画像は、定着部２５において、用紙Ｐが加熱ローラ４５と加圧ローラ４６との間を通過する間に、加熱および加圧されることによって、用紙Ｐに熱定着される。
（５）排紙
トナー像が定着した用紙Ｐは、排紙パス４７を通過して、排紙ローラ４８に向けて搬送され、排紙ローラ４８によって、本体ケーシング２の上方に形成される排紙トレイ４９上に排紙される。
２．トナーカートリッジおよびカートリッジホルダ
図４は、トナーカートリッジを示し、（ａ）は、ブラックトナーカートリッジの左側断面図であり、（ｂ）は、カラートナーカートリッジの左側断面図であり、（ｃ）は、カラートナーカートリッジの正面断面図である。図５は、図２に示すカートリッジホルダの正面断面図（トナーカートリッジ：離脱状態、ホルダフレーム：収容位置）である。図６は、図３に示すカートリッジホルダの正面断面図（トナーカートリッジ：装着状態、ホルダフレーム：露出位置）である。図７は、図２に示すカートリッジホルダの正面断面図（トナーカートリッジ：装着状態、ホルダフレーム：収容位置）である。図８は、図２に示すカートリッジホルダの左側断面図（トナーカートリッジ：離脱状態、ホルダフレーム：収容位置）である。図９は、図３に示すカートリッジホルダの左側断面図（トナーカートリッジ：装着状態、ホルダフレーム：収容位置）である。図１０は、図３に示すカートリッジホルダの左側部分斜視図（ホルダフレーム：露出位置）である。図１１は、図２に示すカートリッジホルダの左側部分斜視図（ホルダフレーム：収容位置）である。
（１）トナーカートリッジ
トナーカートリッジ３８は、上述し、図４に示すように、ブラックのトナーを収容するブラックトナーカートリッジ３８ａ（図４（ａ）参照）と、イエロー、シアン、およびマゼンタのトナーを収容するカラートナーカートリッジ３８ｂ（図４（ｂ）参照）との２つからなる。２つのトナーカートリッジ３８は、後述するように、対応するカートリッジ収容部１６６に、着脱自在に装着される。
（１−１）ブラックトナーカートリッジ
ブラックトナーカートリッジ３８ａは、図４（ａ）に示すように、上下方向に延びる左側面視略矩形のボックス形状に形成されている。
【００４０】
また、ブラックトナーカートリッジ３８ａは、フレーム５１およびトナー供給部材５２を備えている。
フレーム５１は、上側に配置されるトナー収容部５３と、下側に配置されるシャッタ部５４とを一体的に備えている。
トナー収容部５３は、縦長のボックス形状に形成され、正断面において上端部および下端部が半円弧状に湾曲するように形成されている。トナー収容部５３内には、トナーが収容されており、トナーを撹拌する上側アジテータ５５が設けられている。
【００４１】
上側アジテータ５５は、トナー収容部５３の下側に配置され、上側アジテータ軸５６と、上側撹拌部材５７とを備えている。
上側アジテータ軸５６の両端部は、トナー収容部５３の前壁および後壁において、回転自在に支持されている。また、上側アジテータ軸５６の両端部は、トナー収容部５３の前壁および後壁から外方へ突出している。上側アジテータ軸５６の後端部には、トナー収容部５３の後壁の外方において、上側アジテータギヤ５８が相対回転不能に設けられている。
【００４２】
上側撹拌部材５７は、側面視コ字状に折り曲げられた棒状部材であり、上側アジテータ軸５６に取り付けられ、トナー収容部５３の内周面に沿って回転する。
シャッタ部５４は、前後方向に長い円筒形状をなし、その前側および後側が閉鎖されるボックス形状に形成されている。シャッタ部５４の上端部は、トナー収容部５３の下端部が連続して連結されており、その連結部分には、トナー収容部５３およびシャッタ部５４を連通する連通孔５９が、前後方向に延びるように形成されている。
【００４３】
シャッタ部５４の右側部には、前後方向および上下方向の中央に配置される円形状の外側戻り口６０が形成され、その外側戻り口６０の前側上方には、円形状の外側送り口６１が形成されている。
また、シャッタ部５４の下端部には、前側において、下方に突出する外側突起６２が形成されている。外側突起６２は、前後方向に幅広の側面視矩形状に形成されている。
【００４４】
また、シャッタ部５４の下端部には、外側突起６２の後方において、長孔６３が形成されている。
長孔６３は、シャッタ部５４の下端縁から、シャッタ部５４の周方向に沿って右方に向かうように、底面視略矩形状に形成されている。
トナー供給部材５２は、シャッタ部５４の内周面に沿う円筒形状に形成されており、シャッタ部５４内に収容され、シャッタ部５４に対して相対回転自在に設けられている。トナー供給部材５２には、トナー収容部５３から供給されるトナーが収容される。
【００４５】
また、トナー供給部材５２には、長孔６３にスライド自在に嵌合される内側突起６４が設けられている。
内側突起６４は、トナー供給部材５２の後側において、前後方向に幅狭の側面視矩形状に形成されている。内側突起６４は、長孔６３から径方向外方へ突出されている。
そして、トナー供給部材５２は、内側突起６４が長孔６３をスライドする範囲において、フレーム５１に対して回転される。内側突起６４は、トナーカートリッジ３８が露出位置にあるときには、長孔６３の左端部に配置され、外側突起６２と前後方向に重なって配置される（図６参照）。また、内側突起６４は、トナーカートリッジ３８が収容位置にあるときには、長孔６３の右端部に配置され、外側突起６２から右側上方に離間して配置される（図７参照）。
【００４６】
また、トナー供給部材５２には、外側戻り口６０および外側送り口６１に対向可能な円形の内側戻り口６５および内側送り口６６が、それぞれ形成されている。
内側戻り口６５は、トナー供給部材５２において前後方向中央に配置されている。内側戻り口６５は、内側突起６４が長孔６３の右端部に配置されているときに、外側戻り口６０と対向するトナー供給部材５２の右側端部に配置されるように、内側突起６４との相対配置が設定されている。
【００４７】
内側送り口６６は、トナー供給部材５２において内側戻り口６５の前方に配置されている。内側送り口６６は、内側突起６４が長孔６３の右端部に配置されているときに、外側送り口６１と対向するトナー供給部材５２の右側端部に配置されるように、内側突起６４との相対配置が設定されている。
また、トナー供給部材５２には、内側突起６４が長孔６３の右端部に配置されているときに、連通孔５９と対向可能な連通口６７が形成されている。連通口６７は、連通孔５９に対応する前後方向に延びる略矩形状に形成されている。
【００４８】
また、トナー供給部材５２内には、下側アジテータ６８が設けられている。
下側アジテータ６８は、トナー供給部材５２の軸線方向に沿って配置され、下側アジテータ軸６９、径方向搬送羽根７０、撹拌羽根７１および軸方向搬送羽根７２を備えている。
下側アジテータ軸６９の両端部は、トナー供給部材５２の前壁および後壁において、回転自在に支持されている。また、下側アジテータ軸６９の両端部は、トナー供給部材５２の前壁および後壁から外方へ突出している。下側アジテータ軸６９の後端部には、トナー供給部材５２の後壁の外方において、下側アジテータギヤ７３が相対回転不能に設けられている。
【００４９】
径方向搬送羽根７０は、下側アジテータ軸６９の前側において、内側送り口６６と対向可能に配置されている。径方向搬送羽根７０は、下側アジテータ軸６９から径方向に延び、トナーを径方向に搬送できる羽根から形成されている。
撹拌羽根７１は、下側アジテータ軸６９の中央において、内側戻り口６５と対向可能に配置されている。撹拌羽根７１は、下側アジテータ軸６９から径方向に延び、トナーを径方向に搬送しないように撹拌できる羽根から形成されている。
【００５０】
軸方向搬送羽根７２は、下側アジテータ軸６９の後側に配置されている。軸方向搬送羽根７２は、下側アジテータ軸６９から径方向に延び、トナーを径方向搬送羽根７０に向かって軸方向に搬送できる羽根から形成されている。
また、フレーム５１の後壁の後方には、上端部において、中継ギヤ７４が回転自在に支持されている。中継ギヤ７４は、下側アジテータギヤ７３の上方、かつ、上側アジテータギヤ５８の下方に配置されている。中継ギヤ７４は、下側において、下側アジテータギヤ７３と噛合されており、上側において、上側アジテータギヤ５８と噛合されている。
（１−２）カラートナーカートリッジ
カラートナーカートリッジ３８ｂは、図４（ｂ）に示すように、ブラックトナーカートリッジ３８ａが前後方向に３つ連結されたような、右側面視略矩形のボックス形状に形成されている。なお、以下、カラートナーカートリッジ３８ｂの説明において、ブラックトナーカートリッジ３８ａと同様の部材には、ブラックトナーカートリッジ３８ａと同じ符号を付して説明する。
【００５１】
カラートナーカートリッジ３８ｂは、外側筐体の一例としてのフレーム８１、および、３つの内側筐体の一例としてのトナー供給部材８２を備えている。
フレーム８１は、上側に配置される３つの現像剤収容部の一例としてのトナー収容部８３と、下側に配置される３つの内側筐体収容部の一例としてのシャッタ部８４とを一体的に備えている。
【００５２】
各トナー収容部８３は、前後方向に延びるボックス形状に形成され、正断面視において上端部および下端部が半円弧状に湾曲するように形成されている。また、各トナー収容部８３は、ブラックトナーカートリッジ３８ａのトナー収容部５３とほぼ同等の前後方向長さに形成されている。
また、３つのトナー収容部８３は、前後方向に沿って並列配置されるとともに連結されている。具体的には、最前方のトナー収容部８３の後壁と前後方向中間のトナー収容部８３の前壁とが共有されており、また、前後方向中間のトナー収容部８３の後壁と最後方のトナー収容部８３の前壁とが共有されている。
【００５３】
各トナー収容部８３内には、前方から後方に向かって順次、イエロー、マゼンタ、シアンのトナーが収容されている。
また、フレーム８１には、各トナー収容部８３内のトナーを撹拌する上側アジテータ８６が設けられている。
上側アジテータ８６は、図４（ｂ）および図４（ｃ）に示すように、トナー収容部８３の下側に配置され、上側アジテータ軸８７と、３つの上側撹拌部材８８とを備えている。
【００５４】
上側アジテータ軸８７は、各トナー収容部８３を前後方向に貫通するように、回転自在に挿通されている。上側アジテータ軸８７の両端部は、トナー収容部８３の前壁および後壁において、回転自在に支持されている。また、上側アジテータ軸８７の両端部は、最前方のトナー収容部８３の前壁、および、最後方のトナー収容部８３の後壁から、外方へ突出している。上側アジテータ軸８７の後端部には、最後方のトナー収容部８３の後壁の外方において、上側アジテータギヤ５８が相対回転不能に設けられている。
【００５５】
各上側撹拌部材８８は、側面視コ字状に折り曲げられた棒状部材であり、上側アジテータ軸８７に取り付けられ、トナー収容部８３の内周面に沿って回転する。
また、各上側撹拌部材８８は、上側アジテータ軸８７に、上側アジテータ軸８７の軸方向に沿って設けられ、径方向に延びるように形成されている。
各シャッタ部８４は、前後方向に長い円筒形状をなし、その前側および後側が閉鎖されるボックス形状に形成されている。各シャッタ部８４の上端部は、各トナー収容部８３の下端部が連続して連結されており、その連結部分には、各トナー収容部８３と各シャッタ部８４とを連通する３つの連通孔５９が、互いに前後方向に間隔を隔てて形成されている。各連通孔５９は、前後方向に延びるように形成されている。
【００５６】
また、３つのシャッタ部８４は、前後方向に沿って並列配置されるとともに、すべてのシャッタ部８４が前後方向に連通されるように連結されている。すなわち、３つのシャッタ部８４が連結されることにより、すべてのトナー供給部材８２を収容する１つの空間が形成されている。
各シャッタ部８４には、右端部において、図４（ｂ）に示すように、円形状の外側戻り口６０が、各トナー収容部８３に対応するように、前後方向に間隔を隔てて並列配置されている。
【００５７】
また、各シャッタ部８４には、各外側戻り口６０の前側上方において、円形状の外側送り口６１がそれぞれ形成されている。
また、各シャッタ部８４の下端部には、前側および後側において、下方に突出する２つの外側突起６２が形成されている。各外側突起６２は、前後方向に幅広の側面視矩形状に形成されている。
【００５８】
また、各シャッタ部８４の下端部には、外側突起６２の後方において、長孔６３が形成されている。
長孔６３は、シャッタ部８４の下端縁から、シャッタ部８４の周方向に沿って、右方に向かって切欠かれ、底面視略矩形状に形成されている。
各トナー供給部材８２は、シャッタ部８４の内周面に沿う円筒形状に形成されており、前後方向に沿って並列配置されるとともに連結され、互いに一体的に形成されている。具体的には、最前方のトナー供給部材８２の後壁と前後方向中間のトナー供給部材８２の前壁とが共有されており、また、前後方向中間のトナー供給部材８２の後壁と最後方のトナー供給部材８２の前壁とが共有されている。また、各トナー供給部材８２は、それぞれ、イエロー、マゼンタおよびシアンの現像ローラ３１に対応して設けられている。
【００５９】
各トナー供給部材８２は、シャッタ部８４内に収容され、シャッタ部８４に対して相対回転自在に設けられている。すなわち、フレーム８１は、各トナー供給部材８２のほぼすべてを被覆している。
各トナー供給部材８２には、対応するトナー収容部８３から供給されるトナーが収容される。
【００６０】
また、最前方および最後方のトナー供給部材８２には、図４（ｂ）に示すように、長孔６３にスライド自在に嵌合される内側突起６４がそれぞれ１つずつ設けられている。
各内側突起６４は、最前方および最後方のトナー供給部材８２の後側において、前後方向に幅狭の側面視矩形状に形成されている。内側突起６４は、対応する長孔６３から径方向外方へ突出されている。
【００６１】
そして、トナー供給部材８２は、内側突起６４が長孔６３をスライドする範囲において、フレーム８１に対して回転される。内側突起６４は、カラートナーカートリッジ３８ｂが露出位置にあるときには、長孔６３の左端部に配置され、外側突起６２と前後方向に重なって配置される（図６参照）。また、内側突起６４は、カラートナーカートリッジ３８ｂが収容位置にあるときには、長孔６３の右端部に配置され、外側突起６２から右側上方に離間して配置される（図７参照）。
【００６２】
また、各トナー供給部材８２には、右端部において、図４（ｂ）に示すように、各外側戻り口６０に対向可能な円形の３つの回収口の一例としての内側戻り口９４、および、各外側送り口６１に対向可能な円形の３つの供給口の一例としての内側送り口９５が形成されている。なお、各内側戻り口９４および各内側送り口９５は、開口部の一例としても機能する。
【００６３】
各内側戻り口９４は、トナー供給部材８２において、前後方向に沿って間隔を隔てて並列配置されている。各内側戻り口９４は、内側突起６４が長孔６３の右端部に配置されているときに、外側戻り口６０と対向するトナー供給部材８２の右側端部に配置されるように、内側突起６４との相対配置が設定されている。
各内側送り口９５は、各トナー供給部材８２において、内側戻り口９４の前方にそれぞれ配置されている。各内側送り口９５は、内側突起６４が長孔６３の右端部に配置されているときに、外側送り口６１と対向するトナー供給部材８２の右側端部に配置されるように、内側突起６４との相対配置が設定されている。
【００６４】
また、各トナー供給部材８２には、内側突起６４が長孔６３の右端部に配置されているときに、連通孔５９と対向可能な３つの連通口６７が形成されている。各連通口６７は、連通孔５９に対応する前後方向に延びる略矩形状に形成されている。
また、各トナー供給部材８２内には、下側アジテータ８９が設けられている。
下側アジテータ８９は、図４（ｂ）および図４（ｃ）に示すように、トナー供給部材８２の軸線方向に沿って配置されている。また、下側アジテータ８９は、回転軸の一例としての下側アジテータ軸９０、径方向搬送羽根９１、撹拌羽根９２および軸方向搬送羽根９３を備えている。径方向搬送羽根９１、撹拌羽根９２および軸方向搬送羽根９３は、撹拌部材の一例として機能する。
【００６５】
下側アジテータ軸９０は、すべてのトナー供給部材８２を前後方向に貫通するように設けられている。下側アジテータ軸９０の両端部は、最前方のトナー供給部材８２の前壁、および、最後方のトナー供給部材８２の後壁において、回転自在に支持されている。また、下側アジテータ軸９０の両端部は、トナー供給部材８２の前壁および後壁から外方へ突出している。下側アジテータ軸９０の後端部および前端部には、トナー供給部材８２の後壁および前壁の外方において、それぞれ、下側アジテータギヤ７３が相対回転不能に設けられている。
【００６６】
径方向搬送羽根９１は、内側送り口９５と対向可能に配置されている。径方向搬送羽根９１は、トナーを径方向に搬送できる羽根から形成され、下側アジテータ軸９０から径方向に延びるように、下側アジテータ軸９０に支持されている。
撹拌羽根９２は、内側戻り口９４と対向可能に配置されている。撹拌羽根９２は、トナーを径方向に搬送しないように撹拌できる羽根から形成され、下側アジテータ軸９０から径方向に延びるように、下側アジテータ軸９０に支持されている。
【００６７】
軸方向搬送羽根９３は、トナーを径方向搬送羽根９１に向かって軸方向に搬送できる羽根から形成され、下側アジテータ軸９０から径方向に延びように、下側アジテータ軸９０に支持されている。
また、フレーム８１の後壁の後方には、上端部において、中継ギヤ７４が回転自在に支持されている。中継ギヤ７４は、下側アジテータギヤ７３の上方、かつ、上側アジテータギヤ５８の下方に配置されている。中継ギヤ７４は、下側において、下側アジテータギヤ７３と噛合されており、上側において、上側アジテータギヤ５８と噛合されている。
（２）カートリッジホルダ
（２−１）ホルダ収容部
本体ケーシング２の左側部には、プロセス部２３と対向して、図５および図８に示すように、カートリッジホルダ８を収容するホルダ収容部１３４が設けられている。
【００６８】
ホルダ収容部１３４は、プロセス部２３の左側に配置され、本体ケーシング２の左壁から、右方に向かって窪むように設けられている。ホルダ収容部１３４は、プロセス部２３とホルダフレーム９との間を仕切る仕切り板１３５と、仕切り板１３５の上側左方に配置される上板１３６と、仕切り板１３５の下側左方に配置される受け部１３７と、仕切り板１３５の前後方向両端部に配置される支持部１３８とを備えている。
【００６９】
仕切り板１３５は、プロセス部２３とホルダフレーム９との間において、前後方向に沿って配置されている。
上板１３６は、収容位置にあるトナーカートリッジ３８を上方から被覆できるように、仕切り板１３５の上側から左方へ延びるように設けられている。上板１３６には、ロック部材１３９が設けられている。
【００７０】
ロック部材１３９は、上板１３６に設けられる支持軸１４０に揺動自在に支持されている。ロック部材１３９の下端部には、上板１３６を貫通して、下向きに突出する爪部１４１が設けられている。また、ロック部材１３９の上端部は、上板１３６に支持される圧縮ばね１４２によって、左側に押圧されている。
受け部１３７は、仕切り板１３５の下側において、仕切り板１３５から左側へ膨出するように設けられている。受け部１３７の左端部は、露出位置において、ホルダフレーム９の左側板１６４（後述）の下端部が当接される回転規制部１５８（後述）とされている（図６参照）。
【００７１】
また、受け部１３７の上面には、フレーム５１およびフレーム８１の外周面に沿う受け面１４３が形成されている。受け面１４３は、図１０に示すように、前後方向に延びるように設けられており、上側から下側へ向かうに従って仕切り板１３５から左側へ離間する湾曲凹状に形成され、具体的には、フレーム５１およびフレーム８１の下端部から右側部までを受けることができる正断面円弧形状に形成されている。
【００７２】
また、受け部１３７には、外側戻り口６０および外側送り口６１に対向可能な円形の本体側戻り口１４４および本体側送り口１４５が、それぞれ形成されている。
本体側戻り口１４４は、各外側戻り口６０に対応して、４つ設けられている。各本体側戻り口１４４は、前後方向に互いに間隔を設けられており、それぞれ装着される各トナーカートリッジ３８の外側戻り口６０に対向配置されている。本体側戻り口１４４は、受け部１３７の上端部において、受け部１３７および仕切り板１３５を左右方向に貫通するように、形成されている。
【００７３】
本体側送り口１４５は、各外側送り口６１に対応して、４つ設けられている。各本体側送り口１４５は、前後方向に互いに間隔を設けられており、それぞれ装着される各トナーカートリッジ３８の外側送り口６１に対向配置されている。本体側送り口１４５は、受け部１３７の上端部において、対応する本体側戻り口１４４に対して前側上方に間隔を隔てて配置されている。本体側送り口１４５は、受け部１３７および仕切り板１３５を左右方向に貫通するように、形成されている。
【００７４】
また、受け面１４３には、内側突起６４が固定される固定溝１４６と、外側突起６２がスライド自在に嵌合されるスライド溝１４７とが形成されている。
固定溝１４６は、各内側突起６４に対応して、３つ設けられている。各固定溝１４６は、前後方向に互いに間隔を設けられており、それぞれ装着される各トナーカートリッジ３８の内側突起６４に対向配置されている。固定溝１４６は、内側突起６４の前後方向および左右方向の移動が規制されるように、内側突起６４が嵌合する前後方向に幅狭の平面視略矩形状に形成されている。
【００７５】
スライド溝１４７は、各外側突起６２に対応して、３つ設けられている。各スライド溝１４７は、前後方向に互いに間隔を設けられており、それぞれ装着される各トナーカートリッジ３８の外側突起６２に対向配置されている。スライド溝１４７は、外側突起６２の左右方向（受け面１４３の周方向）のスライド移動が許容されるように、左右方向に沿って延び、かつ、外側突起６２の前後方向の移動が規制される前後方向に幅広の平面視略矩形状に形成されている。また、スライド溝１４７は、対応する固定溝１４６に対して前方に間隔を隔てて配置されている。スライド溝１４７の右端部は、前後方向において、対応する固定溝１４６と重なって配置されている。
【００７６】
また、受け面１４３には、シャッタ板１４８およびシャッタガイド１４９が設けられている。
シャッタ板１４８は、前後方向に延びる平面視略矩形状をなし、正断面形状が受け面１４３の円弧形状に沿う円弧形状に形成されている。シャッタ板１４８は、その前後方向長さが受け面１４３の前後方向長さとほぼ同一となり、シャッタ板１４８の円周方向に沿う長さが、受け面１４３の略２／３程度の長さとなるように、形成されている。
【００７７】
シャッタ板１４８には、内側突起６４がスライド自在に貫通されるスライド孔１５０と、外側突起６２が、シャッタ板１４８に対して固定されるように、貫通される固定孔１５１とが形成されている。
スライド孔１５０は、各内側突起６４に対応して、３つ設けられている。各スライド孔１５０は、前後方向に互いに間隔を設けられており、それぞれ装着される各トナーカートリッジ３８の内側突起６４に対向配置されている。スライド孔１５０は、内側突起６４の左右方向（受け面１４３の周方向）のスライド移動が許容されるように、左右方向に沿って延び、かつ、内側突起６４の前後方向の移動が規制される前後方向に幅狭の平面視略矩形状に形成されている。また、スライド孔１５０は、左右方向にわたって固定溝１４６と重なるように配置されている。
【００７８】
固定孔１５１は、各外側突起６２に対応して、３つ設けられている。各固定孔１５１は、前後方向に互いに間隔を設けられており、それぞれ装着される各トナーカートリッジ３８の外側突起６２に対向配置されている。固定孔１５１は、対応するスライド孔１５０に対して前方に間隔を隔てて配置されている。固定孔１５１は、前後方向において、対応するスライド孔１５０の左側端部と重なるように配置されている。固定孔１５１は、外側突起６２の前後方向および左右方向の移動が規制されるように、外側突起６２が貫通される前後方向に幅広の平面視略矩形状に形成されている。また、固定孔１５１は、左右方向にわたってスライド溝１４７と重なるように配置されている。
【００７９】
シャッタガイド１４９は、受け面１４３の前後方向両端部において、それぞれ設けられている。各シャッタガイド１４９は、受け面１４３の円弧形状に沿って左右方向に延びる細長い帯状に形成されている。
各シャッタガイド１４９は、受け面１４３の前後方向両端部とわずかな隙間を隔てて対向配置されており、その隙間にシャッタ板１４８がスライド自在に支持されている。それによって、シャッタ板１４８は、各シャッタガイド１４９と受け面１４３との間において、左右方向のスライド移動が許容されている。シャッタ板１４８は、シャッタ板１４８の右上端部が各シャッタガイド１４９の右上端部と重なる閉鎖位置（図１０参照）と、シャッタ板１４８の左下端部が各シャッタガイド１４９の左下端部と重なる開放位置（図１１参照）との間を、受け面１４３の周方向に沿ってスライド移動する。
【００８０】
閉鎖位置では、スライド孔１５０の左側端部が固定溝１４６と対向し、固定孔１５１がスライド溝１４７の右側端部と対向する。開放位置では、スライド孔１５０の右側端部が固定溝１４６と対向し、固定孔１５１がスライド溝１４７の左側端部と対向する。
支持部１３８は、図８に示すように、本体ケーシング２において、仕切り板１３５の前後方向両端部に配置されており、前側軸部１５２および後側軸部１５３を備えている。
【００８１】
前側軸部１５２は、円柱形状に形成され、本体ケーシング２の前壁から受け面１４３の上方に向かって、後方に突出するように設けられている。
後側軸部１５３は、円柱形状に形成され、本体ケーシング２の後壁から受け面１４３の上方に向かって、前方に突出するように設けられている。後側軸部１５３は、前後方向においてカートリッジホルダ８を挟んで、前側軸部１５２と対向配置されている。
【００８２】
後側軸部１５３には、軸線方向に沿って駆動軸１５４が挿通されている。後側軸部１５３の前端部から前方へ突出する駆動軸１５４には、入力ギヤ１５７が相対回転不能に連結されている。それによって、後側軸部１５３の前端部において、入力ギヤ１５７が回転自在に支持されている。
また、本体ケーシング２の後壁から後方へ突出する駆動軸１５４には、受動側傘歯ギヤ１５５が相対回転不能に連結されている。受動側傘歯ギヤ１５５には、前後方向に沿って配置される伝動側傘歯ギヤ１５６が直交方向から噛合されている。伝動側傘歯ギヤ１５６は、モータ（図示せず）に連結されている。
（２−２）カートリッジホルダ
カートリッジホルダ８は、上記したように、ホルダフレーム９を備えている。ホルダフレーム９は、図５および図８に示すように、ホルダ収容部１３４に収容される側面視略矩形状に形成されている。ホルダフレーム９は、前板１６１、後板１６２、中間板１６３、左側板１６４および右側板１６５を備えている。
【００８３】
前板１６１は、ホルダフレーム９の前端部において左右方向に沿って配置されている。前板１６１は、上下方向に長い正面視略矩形状に形成されている。
後板１６２は、ホルダフレーム９の後端部において左右方向に沿って配置され、前板１６１と前後方向に間隔を隔てて対向配置されている。後板１６２は、上下方向に長い正面視略矩形状に形成されている。
【００８４】
中間板１６３は、前板１６１と後板１６２との間において１つ設けられ、左右方向に沿って配置されている。中間板１６３は、上下方向に長い正面視略矩形状に形成されている。中間板１６３によって、前板１６１と後板１６２との間が、ブラックトナーカートリッジ３８ａおよびカラートナーカートリッジ３８ｂの前後方向長さに相当する間隔で２つに仕切られている。
【００８５】
前板１６１、後板１６２および中間板１６３の上端縁は、露出位置において、それらの上端縁が水平方向に沿うように（図３参照）、収容位置において、左端縁から右端縁に向かって下方に傾斜するように形成されている。
左側板１６４は、前板１６１、中間板１６３および後板１６２の左側において前後方向に沿って配置され、それらの左端部に連結されている。左側板１６４は、側面視略矩形状に形成されている。
【００８６】
右側板１６５は、前板１６１、中間板１６３および後板１６２の右側において前後方向に沿って配置され、それらの右端部に連結されている。右側板１６５は、左側板１６４と左右方向に間隔（トナーカートリッジ３８の左右方向長さに相当する間隔）を隔てて対向配置されている。右側板１６５は、左側板１６４と前後方向長さが等しく、かつ、上下方向長さが短い側面視略矩形状に形成されている。
【００８７】
これによって、ホルダフレーム９には、前板１６１、後板１６２、中間板１６３、左側板１６４および右側板１６５によって区画される２つのカートリッジ収容部１６６が設けられる。各カートリッジ収容部１６６は、ブラックトナーカートリッジ３８ａおよびカラートナーカートリッジ３８ｂに対応してそれぞれ設けられている。すなわち、カートリッジ収容部１６６は、前側に配置され、約１／４の容積を有するブラックカートリッジ収容部１６６ａ、および、後側に配置され、約３／４の容積を有するカラーカートリッジ収容部１６６ｂの２つからなる。各カートリッジ収容部１６６には、対応するトナーカートリッジ３８が、がたつくことなく着脱自在に収容されて、支持される。
【００８８】
また、左側板１６４には、図２に示すように、サイドカバー１０が設けられている。サイドカバー１０は、左側板１６４を左側から被覆するように設けられている。サイドカバー１０の左側面は、ホルダフレーム９が収容位置に配置されているときに、本体ケーシング２の左壁とほぼ面一となるように配置される。
サイドカバー１０の上端部には、前後方向中央部において、取っ手１７３が設けられている。
【００８９】
取っ手１７３は、サイドカバー１０を右側に窪ませることにより形成されている。取っ手１７３は、前後方向に長い側面視略矩形状に形成されている。
また、左側板１６４の上端部には、図５および図８に示すように、前後方向中央において、爪部１４１が係止可能な係止突起１７４が設けられている。
係止突起１７４は、左側板１６４の上端縁から上方に突出するように形成されている。収容位置において、係止突起１７４には、爪部１４１が係止されている。
【００９０】
また、前板１６１の後側面、後板１６２の前側面、中間板１６３の前側面および後側面には、各トナーカートリッジ３８の着脱を案内するガイド溝１６７が形成されている。
ガイド溝１６７は、上側アジテータ軸５６および下側アジテータ軸６９、または、上側アジテータ軸８７および下側アジテータ軸９０をスライド自在に受け入れる溝幅で形成されている。ガイド溝１６７は、図９に示すように、それらの各面の上端縁の左右方向中央から、下方に向かって、各面の下端部近傍まで直線状に延びるように形成されている。ガイド溝１６７は、各面の上端縁において幅広に形成されており、下方に向かって次第に幅狭となる先細り形状に形成されている。また、ガイド溝１６７の下端縁は、下側アジテータギヤ７３が伝達ギヤ１６９（後述）と噛合したときの、下側アジテータ軸６９または下側アジテータ軸９０の位置に相当する。
【００９１】
また、中間板１６３および後板１６２の下端部には、伝達軸１６８が、それらの厚み方向を貫通するように設けられている。伝達軸１６８は、中間板１６３および後板１６２の前側面および後側面から前方および後方に突出するように、それらの下端部において回転自在に支持されている。
中間板１６３に支持される伝達軸１６８の前端部および後端部には、伝達ギヤ１６９がそれぞれ相対回転不能に連結されている。これによって、伝達ギヤ１６９は、中間板１６３の前側面および後側面において、回転自在に支持される。
【００９２】
後板１６２に支持される伝達軸１６８の前端部には、伝達ギヤ１６９が相対回転不能に連結されている。これによって、伝達ギヤ１６９は、後板１６２の前側面において、回転自在に支持される。
後板１６２に支持される伝達軸１６８の後端部にも、受動ギヤ１７０が相対回転不能に連結されている。これによって、受動ギヤ１７０は、後板１６２の後側面において、回転自在に支持される。
【００９３】
また、前板１６１の下端部には、その前面において、前方に突出する円筒形状の前側ボス１７１が設けられている。前側ボス１７１には、前側軸部１５２が回転自在に嵌合されている。後板１６２の下端部には、その後面において、後方に突出する円筒形状の後側ボス１７２が設けられている。後側ボス１７２には、後側軸部１５３が回転自在に嵌合されている。なお、後側ボス１７２には、後側軸部１５３とともに、入力ギヤ１５７および駆動軸１５４の前端部が受け入れられている。
【００９４】
ホルダフレーム９は、下端部において、前側軸部１５２および後側軸部１５３が前側ボス１７１および後側ボス１７２によって回転自在に嵌合されることにより、ホルダ収容部１３４に回転自在に支持されている。
それによって、ホルダフレーム９は、前側軸部１５２および後側軸部１５３を回動支点として、カートリッジ収容部１６６が上下方向（鉛直方向）に向かう方向に配置される収容位置と、カートリッジ収容部１６６が回動支点から斜め左側上方に向かう方向に配置される露出位置との間において、揺動自在に支持される。
（３）トナーカートリッジの装着
各トナーカートリッジ３８を装着するには、まず、図６に示すように、ホルダフレーム９を露出位置に配置して、各カートリッジ収容部１６６に、それに対応するトナーカートリッジ３８を装着する。
【００９５】
具体的には、まず、図５に示す収容位置において、ロック部材１３９を押圧して、ロック部材１３９を圧縮ばね１４２の付勢力に抗して支持軸１４０を支点として上方へ回動させる。すると、爪部１４１の係止突起１７４に対する係止が解除される。そして、取っ手１７３を把持して左方へ引くと、ホルダフレーム９が、その下端部を支点として左方へ揺動して、その上端部が本体ケーシング２の左壁から露出する露出位置に配置される。
【００９６】
次いで、露出位置において、ブラックトナーカートリッジ３８ａをブラックカートリッジ収容部１６６ａの上方に、カラートナーカートリッジ３８ｂをカラーカートリッジ収容部１６６ｂの上方に配置する。
このとき、各トナーカートリッジ３８では、内側突起６４が長孔６３の左端部に配置されている。つまり、図４（ｃ）に示すように、内側突起６４および外側突起６２は、各トナーカートリッジ３８の下端部（各トナーカートリッジ３８の装着方向の下流側端部）において、前後方向に重なって配置されている。
【００９７】
それに伴って、内側戻り口６５および内側送り口６６は、外側戻り口６０および外側送り口６１に対して相対的に下方に配置され、フレーム５１のシャッタ部５４によって閉鎖されている。
すなわち、フレーム５１またはフレーム８１は、現像ローラ３１に対してトナーを供給不能なように、内側戻り口６５および内側送り口６６、または、内側戻り口９４および内側送り口９５を被覆する閉位置に配置されている。
【００９８】
また、連通口６７は、連通孔５９に対して相対的に右方に配置され、トナー供給部材５２またはトナー供給部材８２によって閉鎖（すなわち、被覆）されている。
また、受け部１３７では、図１０に示すように、シャッタ板１４８は、閉鎖位置に配置されており、互いに対向するスライド孔１５０の左端部および固定溝１４６と、互いに対向する固定孔１５１およびスライド溝１４７の右端部とが、受け面１４３の最深部（各トナーカートリッジ３８の装着方向の下流側端部）において、前後方向に重なって配置されている。
【００９９】
その後、下側アジテータ軸６９および上側アジテータ軸５６を、ブラックカートリッジ収容部１６６ａの前後方向両側に設けられるガイド溝１６７に順次挿入して、ブラックトナーカートリッジ３８ａを、下側アジテータギヤ７３が伝達ギヤ１６９と噛合するまで、斜め右側下方へ押し下げる。
同様に、下側アジテータ軸９０および上側アジテータ軸８７を、カラーカートリッジ収容部１６６ｂの前後方向両側に設けられるガイド溝１６７に順次挿入して、カラートナーカートリッジ３８ｂを、下側アジテータギヤ７３が伝達ギヤ１６９と噛合するまで、斜め右側下方へ押し下げる。
【０１００】
すると、図６および図９に示すように、内側突起６４が、スライド孔１５０の左端部に挿通され、その後、固定溝１４６に嵌合されるとともに、外側突起６２が、固定孔１５１に挿通され、その後、スライド溝１４７の右端部に嵌合される。また、下側アジテータギヤ７３と伝達ギヤ１６９とが噛合する。
これによって、各トナーカートリッジ３８は、対応するカートリッジ収容部１６６へ装着され、カートリッジホルダ８によって支持される。また、各トナーカートリッジ３８は、露出位置において、本体ケーシング２から左方へ露出しており、各トナーカートリッジ３８の上側は、本体ケーシング２の左壁から露出している。
【０１０１】
次いで、取っ手１７３を把持してサイドカバー１０を右側へ押すと、図７に示すように、ホルダフレーム９が、その下端部を支点として右方へ揺動して、その上端部が本体ケーシング２の左壁内に収容される収容位置に配置される。
ホルダフレーム９が露出位置から収容位置へ揺動する間は、内側突起６４の受け部１３７に対する相対移動が、固定溝１４６によって規制されている。一方、外側突起６２の受け部１３７に対する相対移動が、スライド溝１４７に沿って許容されている。
【０１０２】
そのため、外側突起６２がスライド溝１４７に沿って内側突起６４から離間するように、右方から左方へ揺動して、スライド溝１４７の左端部に配置される。
それに伴って、ブラックトナーカートリッジ３８ａでは、フレーム５１のシャッタ部５４が、下側アジテータ軸６９を支点として、トナー供給部材５２に対して相対的に下方へ回動する。そして、収容位置においては、内側戻り口６５および内側送り口６６が、外側戻り口６０および外側送り口６１と対向する。また、連通孔５９と連通口６７とが対向する。
【０１０３】
また、カラートナーカートリッジ３８ｂでは、フレーム８１のシャッタ部８４が、下側アジテータ軸９０を支点として、トナー供給部材８２に対して相対的に下方へ回動する。そして、収容位置において、内側戻り口９４および内側送り口９５が、外側戻り口６０および外側送り口６１と対向する。また、連通孔５９と連通口６７とが対向する。
また、外側突起６２のシャッタ板１４８に対する相対移動が、固定孔１５１によって規制されている。一方、内側突起６４のシャッタ板１４８に対する相対移動が、スライド孔１５０に沿って許容されている。
【０１０４】
そのため、シャッタ板１４８が、図１１に示すように、外側突起６２の右方から左方への揺動に伴って、受け面１４３に対して相対的に下方へスライド移動する。
そして、収容位置においては、内側突起６４がスライド孔１５０の右端部に配置され、シャッタ板１４８が開放位置に配置され、本体側戻り口１４４および本体側送り口１４５が、外側戻り口６０および外側送り口６１と対向する。
【０１０５】
ホルダフレーム９が収容位置に配置されると、図７に示すように、爪部１４１が圧縮ばね１４２の付勢力によって係止突起１７４に係止して、ホルダフレーム９が収容位置でロックされる。これによって、各トナーカートリッジ３８が本体ケーシング２に装着される。
各トナーカートリッジ３８が本体ケーシング２に装着されると、ブラックカートリッジ収容部１６６ａにおいて、内側戻り口６５および内側送り口６６が、外側戻り口６０および外側送り口６１を介して、本体側戻り口１４４および本体側送り口１４５と、幅方向において重なって配置され、それぞれが連通される。
【０１０６】
すなわち、フレーム５１またはフレーム８１は、現像ローラ３１に対してトナーを供給可能なように、内側戻り口６５および内側送り口６６、または、内側戻り口９４および内側送り口９５を露出する開位置に配置される。
そのため、ブラックカートリッジ収容部１６６ａにおいて、内側戻り口６５および内側送り口６６は、幅方向（水平方向）において、戻りオーガ３５および送りオーガ３４とそれぞれ重なって配置される。
【０１０７】
また、連通孔５９と連通口６７とが対向して、トナー収容部５３とトナー供給部材５２とが連通される。
また、カラーカートリッジ収容部１６６ｂにおいて、内側戻り口９４および内側送り口９５が、外側戻り口６０および外側送り口６１を介して、本体側戻り口１４４および本体側送り口１４５と、幅方向において重なって配置され、それぞれが連通される。
【０１０８】
そのため、内側戻り口９４および内側送り口９５は、幅方向（水平方向）において、戻りオーガ３５および送りオーガ３４とそれぞれ重なって配置される。
また、連通孔５９と連通口６７とが対向して、トナー収容部８３とトナー供給部材８２とが連通される。
また、各トナーカートリッジ３８およびカートリッジホルダ８は、戻りオーガ３５および送りオーガ３４と並列配置される現像ローラ３１と、現像ローラ３１の軸方向（左右方向）において、対向配置される。
（４）画像形成時
そして、画像形成時には、図９に示すように、モータ（図示せず）からの駆動力が、伝動側傘歯ギヤ１５６から受動側傘歯ギヤ１５５へ伝達される。受動側傘歯ギヤ１５５へ伝達された駆動力は、入力ギヤ１５７から受動ギヤ１７０へ伝達され、さらに、後板１６２の伝達ギヤ１６９へ伝達される。そして、後板１６２の伝達ギヤ１６９へ伝達された駆動力は、カラートナーカートリッジ３８ｂ、ブラックトナーカートリッジ３８ａへ順次伝達される。
【０１０９】
各トナーカートリッジ３８では、次のように駆動力が伝達される。すなわち、まず、カラートナーカートリッジ３８ｂの後側の伝達ギヤ１６９に駆動力が伝達される。すると、その駆動力は、カラートナーカートリッジ３８ｂの後側の伝達ギヤ１６９から、それと噛合するカラートナーカートリッジ３８ｂの後側の下側アジテータギヤ７３へ伝達される。それによって、下側アジテータ軸９０が回転駆動されるとともに、その駆動力が、カラートナーカートリッジ３８ｂの前側の下側アジテータギヤ７３へ伝達される。カラートナーカートリッジ３８ｂの前側の下側アジテータギヤ７３へ伝達された駆動力は、それと噛合するカラートナーカートリッジ３８ｂの前側の伝達ギヤ１６９へ伝達される。すると、その駆動力が、伝達軸１６８を回転駆動させるとともに、前方に配置されるブラックカートリッジ収容部１６６ａの後側の伝達ギヤ１６９に伝達される。そして、ブラックカートリッジ収容部１６６ａの後側の伝達ギヤ１６９に伝達された駆動力は、ブラックトナーカートリッジ３８ａの後側の伝達ギヤ１６９から、それと噛合するブラックトナーカートリッジ３８ａの下側アジテータギヤ７３へ伝達される。これにより、下側アジテータ軸６９が回転駆動される。
【０１１０】
また、カラートナーカートリッジ３８ｂの後側の下側アジテータギヤ７３へ伝達された駆動力は、それと噛合する中継ギヤ７４へ伝達される。その後、その駆動力は、中継ギヤ７４から、それと噛合する上側アジテータギヤ５８へ伝達され、上側アジテータ軸８７が回転駆動される。
これによって、上側アジテータ軸８７および下側アジテータ軸９０が回転駆動されると、カラートナーカートリッジ３８ｂでは、トナー収容部８３内のトナーが、上側撹拌部材８８により撹拌されながら、自重により落下して、連通孔５９および連通口６７を介して、トナー供給部材８２内へ供給される。
【０１１１】
また、ブラックトナーカートリッジ３８ａの下側アジテータギヤ７３へ伝達された駆動力は、それと噛合する中継ギヤ７４へ伝達される。その後、その駆動力は、中継ギヤ７４から、それと噛合する上側アジテータギヤ５８へ伝達され、上側アジテータ軸５６が回転駆動される。
これによって、上側アジテータ軸５６および下側アジテータ軸６９が回転駆動されると、ブラックトナーカートリッジ３８ａでは、トナー収容部５３内のトナーが、上側撹拌部材５７により撹拌されながら、自重により落下して、連通孔５９および連通口６７を介して、トナー供給部材５２内へ供給される。
【０１１２】
トナー供給部材８２内では、トナーは、軸方向搬送羽根９３によって、内側戻り口６５から放出されないように周方向に撹拌され、軸方向搬送羽根９３によって、径方向搬送羽根９１に向かって軸方向に搬送されながら、径方向搬送羽根９１によって、径方向に搬送されて、内側送り口９５から放出される。
放出されたトナーは、内側送り口９５、外側送り口６１および本体側送り口１４５を介して、送りオーガ３４へ搬送される。その後、トナーは、上記したように、供給ローラ３３を介して現像ローラ３１へ供給される。現像ローラ３１へ供給されなかったトナーは、戻りオーガ３５によって、本体側戻り口１４４、外側戻り口６０および内側戻り口９４を介して、トナー供給部材８２へ回収される。
（５）トナーカートリッジの離脱
各トナーカートリッジ３８を離脱させるには、まず、ロック部材１３９を押圧して、ロック部材１３９を圧縮ばね１４２の付勢力に抗して支持軸１４０を支点として上方へ回動させる。すると、爪部１４１の係止突起１７４に対する係止が解除される。そして、取っ手１７３を把持して左方へ引くと、ホルダフレーム９が、その下端部を支点として左方へ揺動して、その上端部が本体ケーシング２の左壁から露出する露出位置に配置される。
【０１１３】
ホルダフレーム９が収容位置から露出位置へ揺動する間は、内側突起６４の受け部１３７に対する相対移動が、固定溝１４６によって規制されている。一方、外側突起６２の受け部１３７に対する相対移動が、スライド溝１４７に沿って許容されている。
そのため、外側突起６２がスライド溝１４７に沿って内側突起６４へ近接するように、左方から右方へ揺動して、スライド溝１４７の右端部に配置される。それに伴って、フレーム５１およびフレーム８１がトナー供給部材５２に対して相対的に上方へ、下側アジテータ軸６９または下側アジテータ軸９０を支点として回動する。
【０１１４】
すると、ブラックトナーカートリッジ３８ａでは、露出位置において、内側戻り口６５および内側送り口６６が、フレーム５１と対向して閉鎖される。また、連通孔５９もトナー供給部材５２と対向して閉鎖される。
また、カラートナーカートリッジ３８ｂでは、露出位置において、内側戻り口９４および内側送り口９５が、フレーム８１と対向して閉鎖される。
【０１１５】
また、外側突起６２のシャッタ板１４８に対する相対移動が、固定孔１５１によって規制されている。一方、内側突起６４のシャッタ板１４８に対する相対移動が、スライド孔１５０に沿って許容されている。
そのため、シャッタ板１４８が、図１０に示すように、外側突起６２の左方から右方への揺動に伴って、受け面１４３に対して相対的に上方へスライド移動する。
【０１１６】
そして、露出位置においては、内側突起６４がスライド孔１５０の左端部に配置され、シャッタ板１４８が閉鎖位置に配置され、本体側戻り口１４４および本体側送り口１４５が、シャッタ板１４８と対向して閉鎖される。
また、各トナーカートリッジ３８がカートリッジ収容部１６６に装着されているときには、外側突起６２がスライド溝１４７の右端部に係止される。
【０１１７】
これによって、各トナーカートリッジ３８が、本体ケーシング２から左方へ露出されるので、その後、各カートリッジ収容部１６６から各トナーカートリッジ３８を斜め左側上方へ引き抜くと、下側アジテータ軸６９および上側アジテータ軸５６、または、下側アジテータ軸９０および上側アジテータ軸８７がガイド溝１６７に沿って案内されながら、各トナーカートリッジ３８が各カートリッジ収容部１６６から離脱される。これによって、各トナーカートリッジ３８が本体ケーシング２から離脱される。
３．作用効果
（１）このカラートナーカートリッジ３８ｂによれば、カラートナーカートリッジ３８ｂは、各現像ローラ３１にそれぞれ対応して設けられるトナー供給部材８２、および、各トナー供給部材８２をそれぞれ収容する各シャッタ部８４を備えている。
【０１１８】
そのため、各トナー供給部材８２および各シャッタ部８４を、一体的に取り扱うことができる。
また、各トナー供給部材８２には、それぞれ、トナーが通過する内側戻り口９４および内側送り口９５が形成されており、各シャッタ部８４は、現像ローラ３１に対してトナーを供給可能なように、内側戻り口９４および内側送り口９５を露出する開位置と、現像ローラ３１に対してトナーを供給不能なように、内側戻り口９４および内側送り口９５を被覆する閉位置とに移動する。
【０１１９】
そのため、カラートナーカートリッジ３８ｂが本体ケーシング２に対して装着された状態において、現像ローラ３１に対するトナーの供給を、一体的に制御することができる。
その結果、各現像ローラ３１にそれぞれ対応して設けられるトナー供給部材８２およびシャッタ部８４を、一体的に取り扱うことができる。
カラートナーカートリッジ３８ｂでは、カラーモードで使用され、互いに消費量が同程度のカラーのトナー（イエロー、マゼンタ、シアン）が、一体的に収容されている。そのため、ユーザーは、カラーのトナーが少なくなったときには、カラートナーカートリッジ３８ｂを交換するだけでよく、トナーカートリッジ３８の交換作業を簡略化することができる。
（２）また、このカラートナーカートリッジ３８ｂによれば、各トナー供給部材８２は、互いに一体的に形成され、フレーム８１は、トナー供給部材８２に対して相対的に回動することにより、開位置または閉位置に移動する。
【０１２０】
そのため、フレーム８１を、簡易な操作で、開位置または閉位置に移動させることができる。
（３）また、このカラートナーカートリッジ３８ｂによれば、各トナー供給部材８２内には、それぞれ、トナーを撹拌する撹拌羽根９２と、各トナー供給部材８２を貫通し、各撹拌羽根９２を支持する下側アジテータ軸９０とを備え、フレーム８１は、下側アジテータ軸９０を支点として回動する。
【０１２１】
そのため、簡易な構成により、確実に、フレーム８１を各トナー供給部材８２に対して相対的に回動させることができる。
（４）また、このカラートナーカートリッジ３８ｂによれば、フレーム８１は、それぞれ、トナーを収容する３つのトナー収容部８３と、各トナー供給部材８２を収容するシャッタ部８４とを備え、内側戻り口９４および内側送り口９５は、シャッタ部８４によって、露出または被覆される。
【０１２２】
そのため、別途、トナーを収容する部材を設けることなく、簡易な構成により、フレーム８１によってトナーを収容しながら、内側戻り口９４および内側送り口９５を露出または被覆することができる。
（５）また、このカラートナーカートリッジ３８ｂによれば、現像ローラ３１に対してトナーを供給する内側送り口９５と、現像ローラ３１からトナーを回収する内側戻り口９４とを備える。
【０１２３】
そのため、現像ローラ３１に対して供給されるトナーの量が、現像ローラ３１において消費されるトナーの量よりも多い場合に、内側戻り口９４からトナーを回収することができる。
これにより、現像ローラ３１へのトナーの供給量を精密に制御しなくても、現像ローラ３１へ、必要な量のトナーを供給することができる。
【０１２４】
その結果、簡易な構成で、現像ローラ３１へ、必要な量のトナーを供給することができる。
また、例えば、このカラートナーカートリッジ３８ｂのように内側戻り口９４を備えておらず、現像ローラに対してトナーを供給する送り口のみがトナーカートリッジに備えられている場合には、トナーカートリッジから現像ローラに供給されたトナーを回収することができず、トナーカートリッジから現像ローラにトナーを一方的に供給するのみとなる。
【０１２５】
そのため、この場合には、現像ローラにおけるトナーの使用量と、トナーカートリッジから現像ローラへのトナーの供給量とを一致させる必要があり、径方向搬送羽根を、現像ローラにおけるトナーの使用量に応じて個別に駆動させて、トナーカートリッジから現像ローラへのトナーの供給量を制御する必要がある。
径方向搬送羽根を現像ローラにおけるトナーの使用量に応じて個別に駆動させるためには、複雑な駆動機構が必要となる。
【０１２６】
しかし、このカラートナーカートリッジ３８ｂでは、内側送り口９５と内側戻り口９４とを備えており、内側送り口９５と内側戻り口９４を介して、カラートナーカートリッジ３８ｂと現像ローラ３１との間でトナーを循環させることができる。
そのため、各径方向搬送羽根９１を共通の下側アジテータ軸９０に設けて一体的に駆動させ、現像ローラ３１で使用されなかったトナーを内側戻り口９４から回収すれば、トナーカートリッジから現像ローラへのトナーの供給量を個別に制御しなくても、実質的に、現像ローラ３１におけるトナーの使用量と、現像ローラ３１へのトナーの供給量とを、一致させることができる。
【０１２７】
その結果、カラートナーカートリッジ３８ｂの構成を簡略化することができる。
【符号の説明】
【０１２８】
３１    現像ローラ
３８ｂ  カラートナーカートリッジ
８１    フレーム
８２    トナー供給部材
８３    トナー収容部
８４    シャッタ部
９０    下側アジテータ軸
９１    径方向搬送羽根
９２    撹拌羽根
９３    軸方向搬送羽根
９４    内側戻り口
９５    内側送り口
【図１】
2010266754.tif 000003
【図２】
2010266754.tif 000004
【図３】
2010266754.tif 000005
【図４】
2010266754.tif 000006
【図５】
2010266754.tif 000007
【図６】
2010266754.tif 000008
【図７】
2010266754.tif 000009
【図８】
2010266754.tif 000010
【図９】
2010266754.tif 000011
【図１０】
2010266754.tif 000012
【図１１】
2010266754.tif 000013